(57)【特許請求の範囲】
【請求項１】
顔料、ポリアミン化合物と１２−ヒドロキシステアリン酸自己縮合物との反応物からなる分散剤、流動パラフィンを主成分とする飽和炭化水素系溶剤、および植物油を含有する油性インクジェット記録用インクにおいて、２５℃における表面張力が２６〜３０ｄｙｎｅ／ｃｍ、２５℃におけるポリテトラフルオロエチレン板上での接触角が４０〜５０°であり、さらに前記飽和炭化水素系溶剤の重量をＷHC、前記植物油の重量をＷVOとしたとき、
１００≧ＷHC／ＷVO＞１０
であることを特徴とする油性インクジェット記録用インク。
【請求項２】
前記分散剤が、ポリアリルアミンと１２−ヒドロキシステアリン酸自己縮合物との反応物である請求項１に記載の油性インクジェット記録用インク。
【請求項３】
前記飽和炭化水素系溶剤において、流動パラフィンの含有量が７０重量％以上である請求項１または２に記載の油性インクジェット記録用インク。
【請求項４】
前記流動パラフィンが、単環シクロパラフィンを２０重量％以上含み、２５℃における表面張力が２６〜３０ｄｙｎｅ／ｃｍであり、さらに粘度が２０ｍＰａ・ｓ以下の流動パラフィンである請求項１〜３のいずれかに記載の油性インクジェット記録用インク。
【請求項５】
前記飽和炭化水素系溶剤が、さらにイソパラフィンを含有する請求項１〜４のいずれかに記載の油性インクジェット記録用インク。
【請求項６】
さらに石油系樹脂および／またはロジン変性マレイン酸樹脂を含有する請求項１〜５のいずれかに記載の油性インクジェット記録用インク。
【請求項７】
凝固点が−１０℃以下である請求項１〜６のいずれかに記載の油性インクジェット記録用インク。
【請求項８】
体積抵抗値が１０8Ωｃｍ以上である請求項１〜７のいずれかに記載の油性インクジェット記録用インク。
【発明の詳細な説明】
【０００１】
【発明の属する技術分野】
本発明は、油性インクジェット記録用インクに関し、より詳しくは、初期および長期保存においても良好な顔料分散性を有し、印字環境の温度変化に左右されずに、吐出安定性に優れた油性インクジェット記録用インクに関する。
【０００２】
【従来の技術】
インクジェット記録方式の分野においては、濃度低下やにじみがなく、鮮明な色彩を有する画像をより高速で安定的に印刷するために、装置およびインクの両面から研究が行なわれている。
【０００３】
現在、印刷装置としてはピエゾ振動素子を用いる方式、サーマルヘッドを利用する方式、電気的吸引力を利用する方式などが知られている。
【０００４】
その中でも、ピエゾ振動素子を利用する方式は、記録ヘッドの装置の構成が簡単で、他の方式と比較して、インクに対する電気的および熱的性能の制限が少ないという点から有用性が高いものである。そして、このタイプの印刷装置に適用されるインクとして、最近、顔料を飽和炭化水素系媒体に分散させた油性タイプのものが実用化されている。
【０００５】
しかし、本質的に顔料タイプのインクでは、インク自体の保存安定性や吐出安定性の不良など、いわゆるインクジェット記録液の信頼性が低いという問題がある。
【０００６】
また、現在、開発されている油性インクジェットインクにおいて、飽和炭化水素系溶剤としては、エクソン化学（株）製のアイソパーシリーズやエクソールシリーズに代表される、イソパラフィン系やシクロパラフィン系溶剤の単独利用が主流であるが、得られたインクは低温時における保存安定性が低いもの、あるいはノズル詰まりを起こしやいものなどであり、充分な性能を有するものではない。
【０００７】
そこで、これらの問題を解決するために、たとえば、飽和炭化水素系有機溶剤とオレイルアルコールなどの極性の高い溶剤を併用する方法が、特表平１０−５０７４８７号公報で開示されている。しかしながら、飽和炭化水素系溶剤と極性の高い溶剤を併用すると、インクの保存安定性がますます低下して、保存中に顔料が沈降するという問題がある。
【０００８】
さらに、飽和炭化水素系溶剤として流動パラフィンを用い、顔料分散剤として長鎖アルキル基と二塩基酸の残基を有する化合物からなる油性インクジェット記録用インクも国際公開ＷＯ９９／３８９２５で開示されているが、この系では常温での吐出安定性は有しても、低温時における吐出安定性が低いという問題を有する。
【０００９】
【発明が解決しようとする課題】
そこで、本発明者らは、インクジェット記録用インクの溶剤として、飽和炭化水素系溶剤１００重量部に対して、植物油を１０〜１００重量部含有させることにより、飽和炭化水素系溶剤、顔料分散剤などの材料の如何に関わらず、初期並びに長期間においても良好な保存安定性を有し、さらにより低温から高温までの幅広い温度域において、吐出安定性に優れた油性インクジェット記録用インクが得られることを見出し、国際出願ＰＣＴ／ＪＰ９９／０７２４３で提案している。
【００１０】
本発明は、この出願の油性インクジェット記録用インクにおけるよりもより少ない植物油の量で、前記の性能に優れる油性インクジェット記録用インクを提供することを目的する。
【００１１】
【課題を解決するための手段】
本発明者らは、植物油のより少ない量で、前記の性能に優れる油性インクジェット記録用インクを提供することを目的として研究を重ねた結果、顔料分散剤としてポリアミン化合物と１２−ヒドロキシステアリン酸自己縮合物との反応物を利用し、流動パラフィンを飽和炭化水素系溶剤の主成分とすることにより、前記目的が達成されることを見出し、本発明を完成させたものである。
【００１２】
すなわち、請求項１にかかわる発明は、顔料、ポリアミン化合物と１２−ヒドロキシステアリン酸自己縮合物との反応物からなる分散剤、流動パラフィンを主成分とする飽和炭化水素系溶剤、および植物油を含有する油性インクジェット記録用インクにおいて、２５℃における表面張力が２６〜３０ｄｙｎｅ／ｃｍ、２５℃におけるポリテトラフルオロエチレン板上での接触角が４０〜５０°であり、さらに前記飽和炭化水素系溶剤の重量をＷHC、前記植物油の重量をＷVOとしたとき、
ＷHC／ＷVO＞１０
であることを特徴とする油性インクジェット記録用インクに関するものである。
【００１３】
また、請求項２にかかわる発明は、前記分散剤がポリアリルアミンと１２−ヒドロキシステアリン酸自己縮合物との反応物である請求項１に記載の油性インクジェット記録用インクに関するものである。
【００１４】
また、請求項３にかかわる発明は、前記飽和炭化水素系溶剤において、流動パラフィンの含有量が７０重量％以上である請求項１または２に記載の油性インクジェット記録用インクに関するものである。
【００１５】
また、請求項４にかかわる発明は、前記流動パラフィンが、単環シクロパラフィンを２０重量％以上含み、２５℃における表面張力が２６〜３０ｄｙｎｅ／ｃｍであり、さらに粘度が２０ｍＰａ・ｓ以下の流動パラフィンである請求項１〜３のいずれかに記載の油性インクジェット記録用インクに関するものである。
【００１６】
また、請求項５にかかわる発明は、前記飽和炭化水素系溶剤が、さらにイソパラフィンを含有する請求項１〜４のいずれかに記載の油性インクジェット記録用インクに関するものである。
【００１７】
また、請求項６にかかわる発明は、さらに石油系樹脂および／またはロジン変性マレイン酸樹脂を含有する請求項１〜５のいずれかに記載の油性インクジェット記録用インクに関するものである。
【００１８】
また、請求項７にかかわる発明は、凝固点が−１０℃以下である請求項１〜６のいずれかに記載の油性インクジェット記録用インクに関するものである。
【００１９】
また、請求項８にかかわる発明は、体積抵抗値が１０8Ωｃｍ以上である請求項１〜７のいずれかに記載の油性インクジェット記録用インクに関するものである。
【００２０】
【発明の実施の形態】
以下に本発明をより詳細に説明する。
【００２１】
まず、本発明で用いられる顔料は、一般のインクジェット記録用インクで使用できる各種の無機および有機顔料が利用可能であるが、とくに有用なものとして、Ｃ．Ｉ．ピグメントイエロー９３、９５、１０９、１１０、１２０、１２８、１３８、１３９、１５１、１５４、１５５、１７３、１８０、１８５、１９３、Ｃ．Ｉ．ピグメントオレンジ３４、３６、４３、６１、６３、７１、Ｃ．Ｉ．ピグメントレッド１２２、２０２、Ｃ．Ｉ．ピグメントレッド１２２と２０２との固溶体、Ｃ．Ｉ．ピグメントブルー１５、Ｃ．Ｉ．ピグメントバイオレット１９、２３、３３、Ｃ．Ｉ．ピグメントブラック７などをあげることができる。
【００２２】
インクジェット記録方式では、イエロー、マゼンタ、シアン、ブラックの４色を基本として、最近ではオレンジ、グリーンを加えた６色、さらには、ライトマゼンタ、ライトブルーを加えた８色のインクを用いてカラー画像などが形成されている。
【００２３】
これらの色相を得るために、さらに上記の顔料の中でも耐候性の良好なものが好適であり、とりわけ、イエローとしては、Ｃ．Ｉ．ピグメントイエロー１３８、１５４、１８０、１８５、マゼンタとしては、Ｃ．Ｉ．ピグメントレッド１２２、２０２、Ｃ．Ｉ．ピグメントバイオレット１９、シアンとしては、Ｃ．Ｉ．ピグメントブルー１５、ブラックとしては、Ｃ．Ｉ．ピグメントブラック７のとくに酸性もしくは中性顔料、オレンジとしては、Ｃ．Ｉ．ピグメントオレンジ４３、６４、７１、グリーンとしては、Ｃ．Ｉ．ピグメントグリーン７、３６がより好適である。
【００２４】
本発明において、顔料の好適な使用量としては、インクジェット記録用インク中に０．５〜３０重量％であり、より好適には１〜１０重量％程度である。顔料の使用量が少なくなりすぎるとインクの色濃度が低下し、一方、多くなりすぎるとインク粘度や流動性の面から印刷が困難となる。
【００２５】
つぎに、本発明において、有機溶剤中に顔料を分散させるために利用する分散剤は、ポリアミン化合物と１２−ヒドロキシステアリン酸自己縮合物との反応物であり、具体的には、ポリアリルアミンと１２−ヒドロキシステアリン酸自己縮合物との反応物；ポリエチレンポリアミンと１２−ヒドロキシステアリン酸自己縮合物との反応物、たとえば、市販品として、ゼネカ（株）製のソルスパース１３９４０など、ジアルキルアミノアルキルアミンと１２−ヒドロキシステアリン酸自己縮合物を反応させたもの、たとえば、市販品として、ゼネカ（株）製のソルスパース１７０００、１８０００などをあげることができる。
【００２６】
とくに、分散剤としてポリアリルアミンと１２−ヒドロキシステアリン酸自己縮合物との反応物を利用すると、有機顔料に対する初期および長期保存の間での顔料分散性が良好であり、さらにインクの吐出安定性にも優れるという面から好適である。
【００２７】
つぎに、本発明は、流動パラフィンを主たる成分とする飽和炭化水素系溶剤を利用するものである。
【００２８】
なお、流動パラフィンとは、比較的軽質の潤滑油成分を硫酸洗浄などによって高度に精製して得られる、主としてノルマルパラフィン、イソパラフィンおよび単環シクロパラフィンの３成分の混合物であり（日本薬局方において軽質流動パラフィンと呼ばれるものも含む）、その中でも単環シクロパラフィンを２０重量％以上含有するものが好適である。
【００２９】
そして、実質的に紫外線吸収性の不純物を含有しないレベルまで精製され、使用目的に応じて、日本薬局方における流動パラフィンの純度試験、日本国で定められた、食品添加物基準における流動パラフィンの純度試験、および化粧品原料基準における流動パラフィンの純度試験の少なくとも１つに合格しているものは、作業・衛生の面においてもより好適である。
【００３０】
これら３つの流動パラフィンの純度試験および基準値については、現在、最新のものとして、第十四改正日本薬局方、第７版食品添加物公定書、および厚生省告示第１８１号に基づく化粧品原料基準に収載されており、いずれのものにも合格した流動パラフィンとしては、たとえば、モレスコホワイトＰ−４０、モレスコホワイトＰ−５５（以上、松村石油研究所（株）製）、流動パラフィンＮｏ．４０−Ｓ、流動パラフィンＮｏ．５５−Ｓ（以上、中央化成（株）製）などをあげることができる。
【００３１】
さらに、イソパラフィン系溶剤、シクロパラフィン系溶剤も併用可能であり、イソパラフィン系としては、イソデカン、イソドデカン、および市販のイソパラフィン系混合物、たとえばアイソパーＥ、アイソパーＧ、アイソパーＨ、アイソパーＬ、アイソパーＭ（以上、いずれもエクソン化学（株）製）、シェルゾール（シェルオイル（株）製）、ソルトロール（フィリップス石油（株）製）、ベガゾール（モービル石油（株）製）、ＩＰソルベント２８３５（出光石油化学（株）製）などをあげることができ、また、シクロパラフィン系溶剤としては、シクロオクタン、シクロデカン、デカリン、および市販のシクロパラフィンを含む混合物、たとえばエクソールＤ１３０、Ｄ１４０（いずれもエクソン化学（株）製）などをあげることができる。
【００３２】
ここで、より低温で液状を維持する必要がある場合は、低い凝固点を有するイソパラフィン系炭化水素系溶剤の併用が好適であり、一方、ノズルの先端に残ったインクが乾燥しないようにノズル内に後退させて、吐出安定性を良好とさせる場合は、高い表面張力を有するシクロパラフィン系炭化水素系溶剤の併用が好適である。
【００３３】
そして、このように、流動パラフィンを主な成分として、インクの要求性能に応じて他の飽和炭化水素系溶媒を適度に混合して使用すると、たとえばアイソパーやエクソールなどのイソパラフィン系溶剤やシクロパラフィン系溶媒を単独で利用するのと比較して、良好な性能バランスを有するインクジェットインクを調製することが可能となる。なお、流動パラフィンの含有量は、好ましくは全炭化水素系溶剤に対して７０重量％以上である。
【００３４】
以上の流動パラフィンを必須成分とする飽和炭化水素系溶剤において、インクの吐出安定性の面から、２５℃における粘度が２０ｍＰａ・ｓ以下のものが好適であり、低粘度の飽和炭化水素系溶剤と高粘度の飽和炭化水素系溶剤とを混合して、前記の粘度になるように調整して使用することもできる。
【００３５】
また、蒸発乾燥による印刷速度の向上とノズルの目詰まりのバランスを考慮すると、飽和炭化水素系溶剤の沸点としては１８０〜３６０℃／７６０ｍｍＨｇの範囲にあるのが好適であり、飽和炭化水素系溶剤の混合物を利用する場合は、その大部分の成分が前記の沸点の範囲にあることが望ましい。
【００３６】
さらに、本発明では、顔料分散や吐出安定性を向上させる助剤として植物油を使用する。利用可能な植物油としては、大豆油、綿実油、ヒマワリ油、ナタネ油、カラシ油、ゴマ油、コーン油等の半乾性油、オリーブ油、落下生油、ツバキ油等の不乾性油、亜麻仁油、サフラワー油などの乾性油をあげることができ、これらの植物油は単独または混合して使用できる。
【００３７】
とくに性状の点からは、酸化による重合性の低い半乾性油や不乾性油であって、その中でも、より低粘度なナタネ油、オリーブ油、また、安価な大豆油がより好ましい。
【００３８】
そして、本発明で用いる飽和炭化水素系溶剤と植物油の使用量は、飽和炭化水素系溶剤の重量をＷHC、植物油の重量をＷVOとしたとき、ＷHC／ＷVO＞１０となる量であり、顔料分散性や吐出安定性から、好ましくはＷHC／ＷVOの上限は５００、より好ましくは１００程度である。
【００３９】
さらに、被印刷体への固着性などの改善のために、通常の油性インクジェット記録用インクで利用されている各種バインダー樹脂を添加することができ、とくに再溶解性に効果のある石油樹脂やロジン変性マレイン酸樹脂などは好適である。また、顔料の分散に効果のある顔料誘導体や界面活性剤、さらに粘度調整剤等の各種添加剤を添加することもできる。
【００４０】
これらの材料を用いてインクジェット記録用インクを製造する方法としては、まず、飽和炭化水素系溶剤に分散剤を溶解させて分散剤溶液とし、さらに顔料、必要に応じて界面活性剤などを攪拌混合して、練肉機で練肉した後、残りの材料を添加混合する方法が利用できる。
【００４１】
前記練肉機としては、たとえば、湿式サーキュレーションミル、ビーズミル、ボールミル、サンドミル、アトライター、ロールミル、アジテータ、ヘンシェルミキサー、コロイドミル、超音波ホモジナイザー、超高圧ホモジナイザー、パールミルなどをあげることができ、とくにインクジェット記録液では、通常の印刷インキと比較して、より微細に顔料を分散させる必要があることから、前記機種の中でも湿式サーキュレーションミルが好ましい。
【００４２】
本発明の油性インクジェット記録用インクは、２５℃において、表面張力を２６〜３０ｄｙｎｅ／ｃｍ、ポリテトラフルオロエチレン板上での接触角を４０〜５０°とすることが必要であり、この範囲にあるインクは、速やかにノズル内に充填され、ノズルの詰まりも少なくすることができる。なお、上記のポリテトラフルオロエチレン板上における接触角の数値は、２５℃の雰囲気温度において、適度な厚さを有するポリテトラフルオロエチレン（ＰＴＦＥ）板を用いて、その水平面上にシリンジでインクを１滴滴下し、ＰＴＦＥ板にインクが接触した直後のものを示すものである。
【００４３】
また、低温における保存安定性などを良好にするという観点から、インクの凝固点は−１０℃以下であるのが好適である。さらに、インクの粘度としては、使用時の環境温度において、１．０〜３０．０ｍＰａ・ｓ、とくに１０〜２０．０ｍＰａ・ｓが好適であり、粘度がこの範囲にあると、高速印刷において吐出追随性や吐出安定性も良好である。
【００４４】
これらの物性値は、最終的なインクの組成物として有していればよいが、とくに主要成分である飽和炭化水素系溶剤に支配される物性値であることから、用いる飽和炭化水素系溶剤（混合物の場合は混合物として）として、上記の表面張力と接触角を有し、低粘度で、さらに凝固点が−１０℃以下となるものを選択しておくことが望ましい。
【００４５】
本発明の油性インクジェット記録用インクの用途としては、ピエゾ振動素子を利用してインクを吐出する、オンデマンド・インクジェット記録方式に適しており、現在、市販されている油性インクジェット記録用インクの印刷装置において、良好な吐出安定性を得ることができる。
【００４６】
なお、本発明の油性インクジェット記録用インクは、１０8Ωｃｍ以上の体積抵抗値を有するものが好ましいが、帯電剤を含有しないものである。従って、帯電させたインク液滴と電極との間に発生する電気的吸引力を利用して、連続的に液滴を飛翔させるインクジェット記録方法で使用するインクとは、本質的に要求される吐出特性が異なるものである。
【００４７】
本発明のインクジェット記録用インクは、初期および長期保存においても良好な顔料分散性を有し、より低温から高温までの幅広い温度範囲において吐出安定性に優れた油性インクジェット記録用インクである。
【００４８】
【実施例】
以下、実施例でもって本発明をより具体的に説明するが、本発明はこれら実施例に限定されるものではない。なお、とくに断りのない限り、本実施例において「部」および「％」は、それぞれ「重量部」および「重量％」を表わす。
【００４９】
実施例１〜１１および比較例１〜４
＜ベースインキの製造＞
分散剤として、ポリアリルアミンと１２−ヒドロキシステアリン酸自己縮合物との反応物３部を流動パラフィンＮｏ．４０−Ｓ（中央化成（株）製）１２部に溶解し、これに顔料としてファストゲン  スーパーレッド  ７０６１Ｂ（大日本インキ化学工業（株）製）５部を攪拌混合した後、ビーズミルを用いて練肉し、ベースインキＮｏ．１を得た。
【００５０】
分散剤としてソルスパーズ１７０００の３部を流動パラフィンＮｏ．４０−Ｓ１２部に溶解し、これに顔料としてカーボンブラックＭＡ−７（三菱化学（株）製）５部を攪拌混合した後、ビーズミルを用いて練肉し、ベースインキＮｏ．２を得た。
【００５１】
分散剤としてソルスパーズ１７０００の３部をイソパラフィン系溶剤であるＩＰソルベント２８３５（出光石油化学（株）製）１２部に溶解し、これに顔料としてカーボンブラックＭＡ−７（三菱化学（株）製）５部を攪拌混合した後、ビーズミルを用いて練肉し、ベースインキＮｏ．３を得た。
【００５２】
＜インクジェット記録用インクの製造＞
表１の配合に従い、各種材料を攪拌混合して、２５℃における粘度がほぼ１０ｍＰ・ｓの実施例１〜１１、比較例１〜４のインクジェット記録用インクを得た。
【００５３】
なお、Ｎｏ．５５−Ｓは流動パラフィン（中央化成（株）製）、アイソパーＭはイソパラフィンの混合物（エクソン化学（株）製）、エクソールＤ１３０はシクロパラフィンとパラフィンの混合物（エクソン化学（株）製）である。
【００５４】
＜性能評価＞
・表面張力の測定
実施例１〜１１、比較例１〜４のインクジェット記録用インクの２５℃における表面張力を表面張力計（動的濡れ性試験機、レスカ社製）を用いて測定し、その結果を表１に示した。
【００５５】
・接触角の測定
２５℃において、（株）サンプラテック製のＰＴＦＥ板（厚さ１．０ｍｍ）を用い、その水平面上にシリンジで実施例１〜１１、比較例１〜４のインクジェット記録用インクを１滴滴下し、ＰＴＦＥ板にインクが接触した直後の接触角を測定した（ちなみに、本発明者らは、国際出願ＰＣＴ／ＪＰ９９／０７２４３において、フッ化エチレン−プロピレン共重合体フィルムに対するインクの接触角を示したが、フッ化エチレンとプロピレンとの共重合比率が変動すると接触角も変動する可能性があるため、本発明では、変動の要素のないポリテトラフルオロエチレン板に対する接触角を測定した）。
【００５６】
・低温保存安定性
実施例１〜１１、比較例１〜４のインクジェット記録用インクをガラス瓶にとり密栓して、０℃で１ヶ月、さらに−１０℃で１ヶ月間経時させた後の、沈降物の有無とその状態から低温保存安定性を評価した。
Ａ：沈降物が全く生じない。
Ｂ：沈降物は生じるが、軽く振ればなくなる。
Ｃ：激しく振っても沈降物がなくならない。
【００５７】
・常温における吐出安定性
一般的な室内環境と考えられる２０℃の温度下で、市販の油性インクジェット記録用インク対応の印刷装置（ＩＰ−４０００、ピエゾタイプ、セイコーインスツルメンツ（株）製）を用いて、実施例１〜１１、比較例１〜４のインクジェット記録用インクを専用光沢紙（ロール紙）に連続ベタ印刷し、Ａ０に相当するサイズでカットして印刷物１００枚を得た。印刷がされない部分（ほぼ全てのノズルからインクが吐出されなくなり、印字がされない部分をいう）が印刷開始から何枚目で発生したかで常温吐出安定性を評価した。
Ａ：印刷されない部分が７１枚目以降に発生するか、印刷されない部分が１００枚目まで発生しない。
Ｂ：印刷されない部分が５１枚目〜７１枚目で発生する。
Ｃ：印刷されない部分が３１枚目〜５０枚目で発生する。
Ｄ：印刷されない部分が３０枚目までに発生する。
【００５８】
・低温における吐出安定性
室温を５℃とした以外は前記の常温時での吐出安定性と同じ評価方法、同じ評価基準で、実施例１〜１１、比較例１〜４のインクジェット記録用インクの低温吐出安定性を評価した。
【００５９】
・紙面乾燥性
環境条件を室温２５℃、相対湿度６０％として、上記と同じ油性インクジェットプリンターを用いて、実施例１〜１１、比較例１〜４のインクジェット記録用インクを専用光沢紙にベタで印字後、指触による指への記録液付着がなくなるまでの時間から乾燥性を評価した。
Ａ：２秒以内に乾燥するもの。
Ｂ：２秒を超えて５秒以内に乾燥するもの。
Ｃ：５秒を超えても乾燥しないもの。
【００６０】
なお、上記の評価において、常温および低温での吐出安定性については、ＡおよびＢランクを良好な性能、Ｃランクを使用上問題のない性能、Ｄランクを使用に差し支える性能、その他の項目については、Ａランクを良好な性能、Ｂランクを使用上問題のない性能、Ｃランクを使用に差し支える性能と判断した。
【００６１】
【表１】
0004330260.tif 000002
【００６２】
【発明の効果】
以上、実施例と比較例をあげて具体的に示したように、本発明の油性インクジェット記録用インクは、初期および長期において良好な顔料分散性を有し、さらに低温から高温の広い温度範囲において吐出安定性に優れた油性インクジェット記録用インクである。